(57)【要約】本発明によれば、マルチセルＭＣＣＨを介して送信されたシグナリング・メッセージを同期するための方法が提供される。この方法は、ゲートウェイによって、有効化時間情報と共に運ばれたシグナリング・メッセージをＭＣＥ（ＭＢＭＳ制御エンティティ）を介して基地局に送信し、またはＭＣＥによって、有効化時間情報と共に運ばれたシグナリング・メッセージを基地局に直接送信するステップと、基地局によって、シグナリング・メッセージ内に含まれた有効化時間情報に基づいてシグナリング・メッセージを同時に発効させるステップとを備える。
2011511589.tif 000002
【特許請求の範囲】
【請求項１】
マルチセルＭＣＣＨ（ＭＢＭＳ制御チャネル）を介して送信されたシグナリング・メッセージを同期する方法であって、
ゲートウェイが、有効化時間情報と共に運ばれた前記シグナリング・メッセージをＭＣＥ（ＭＢＭＳ制御エンティティ）を介して基地局に送信するステップ、または、ＭＣＥが、有効化時間情報と共に運ばれた前記シグナリング・メッセージを基地局に直接送信するステップと、
前記基地局が、前記シグナリング・メッセージ内に含まれた前記有効化時間情報に基づいて、前記シグナリング・メッセージを同時に発効させるステップとを備える方法。
【請求項２】
前記シグナリング・メッセージが、セッション開始／停止メッセージと、ＭＣＣＨ構成／再構成メッセージと、無線リソース割当て／再割当てメッセージと、無線ベアラ構成／再構成メッセージと、カウント・メッセージとを含む、請求項１に記載の方法。
【請求項３】
前記ゲートウェイによって前記ＭＣＥを介して前記基地局に前記シグナリング・メッセージを送信するステップが、
前記ゲートウェイによって、Ｍ３インターフェースを介して前記ＭＣＥに前記シグナリング・メッセージを送信するステップと、
前記ＭＣＥによって、Ｍ２インターフェースを介して前記基地局に前記シグナリング・メッセージを送信するステップとを含む、請求項１に記載の方法。
【請求項４】
前記ＭＣＥが前記基地局の外部に位置する、請求項１に記載の方法。
【請求項５】
前記ＭＣＥが前記基地局の内部に位置する、請求項１に記載の方法。
【請求項６】
前記基地局が、前記シグナリング・メッセージ内に含まれた前記有効化時間情報によって示された時間に前記シグナリング・メッセージを同時に発効させるステップと、
前記基地局が、前記シグナリング・メッセージ内に含まれた前記有効化時間情報によって示された前記時間の後の次の修正期間に、対応するエア・インターフェース・メッセージを移動局に送信するステップとをさらに備える、請求項１に記載の方法。
【請求項７】
前記基地局が、前記シグナリング・メッセージ内に含まれた有効化時間情報によって示された時間に前記シグナリング・メッセージを同時に発効させるステップと、
前記基地局が、前記シグナリング・メッセージ内に含まれた前記有効化時間情報によって示された前記時間に、対応するエア・インターフェース・メッセージを移動局に送信するステップとをさらに備える、請求項１に記載の方法。
【請求項８】
基地局が、前記シグナリング・メッセージ内に含まれた前記有効化時間情報によって示された前記時間の後の次の修正期間の開始時に前記シグナリング・メッセージを同時に発効させるステップと、
前記基地局が、前記シグナリング・メッセージ内に含まれた前記有効化時間情報によって示された前記時間の後の次の修正期間に、対応するエア・インターフェース・メッセージを移動局に送信するステップとをさらに備える、請求項１に記載の方法。
【請求項９】
マルチセルＭＣＣＨ（ＭＢＭＳ制御チャネル）を介して送信されたシグナリング・メッセージを同期する基地局であって、
ゲートウェイによってＭＣＥ（ＭＢＭＳ制御エンティティ）を介して送信され、またはＭＣＥによって直接送信される、有効化時間情報と共に運ばれた前記シグナリング・メッセージを受け取るように構成された受信手段と、
前記シグナリング・メッセージ内に含まれた前記有効化時間情報に基づいて前記シグナリング・メッセージを同時に発効させるように構成された同期手段とを備える、基地局。
【請求項１０】
前記シグナリング・メッセージが、セッション開始／停止メッセージと、ＭＣＣＨ構成／再構成メッセージと、無線リソース割当て／再割当てメッセージと、無線ベアラ構成／再構成メッセージと、カウント・メッセージとを含む、請求項９に記載の基地局。
【請求項１１】
前記受信手段が、Ｍ２インターフェースを介して前記ＭＣＥから前記シグナリング・メッセージを受け取る、請求項９に記載の基地局。
【請求項１２】
前記ＭＣＥが前記基地局の外部または前記基地局の内部に位置する、請求項９に記載の基地局。
【請求項１３】
前記シグナリング・メッセージ内に含まれた前記有効化時間情報によって示された時間に前記シグナリング・メッセージを同時に発効させるように構成された発効手段と、
前記シグナリング・メッセージ内に含まれた前記有効化時間情報によって示された前記時間の後の次の修正期間に、対応するエア・インターフェース・メッセージを移動局に送信するように構成された送信手段と
をさらに備える、請求項９に記載の基地局。
【請求項１４】
前記シグナリング・メッセージ内に含まれた前記有効化時間情報によって示された時間に前記シグナリング・メッセージを同時に発効させるように構成された発効手段と、
前記シグナリング・メッセージ内に含まれた前記有効化時間情報によって示された前記時間に、対応するエア・インターフェース・メッセージを移動局に送信するように構成された送信手段とをさらに備える、請求項９に記載の基地局。
【請求項１５】
前記シグナリング・メッセージ内に含まれた前記有効化時間情報によって示された前記時間の後の次の修正期間の開始時に前記シグナリング・メッセージを同時に発効させるように構成された発効手段と、
前記シグナリング・メッセージ内に含まれた前記有効化時間情報によって示された前記時間の後の次の修正期間に、対応するエア・インターフェース・メッセージを移動局に送信するように構成された送信手段とを備える、請求項９に記載の基地局。
【発明の詳細な説明】
【技術分野】
【０００１】
本発明は、無線通信分野に関し、詳細には、遅延が変化する場合に簡単なやり方でシグナリング・メッセージの同期を保証できる、マルチセルＭＣＣＨ（ＭＢＭＳ  Ｃｏｎｔｒｏｌ  Ｃｈａｎｎｅｌ：ＭＢＭＳ制御チャネル）を介して送信されたシグナリング・メッセージを同期するための方法および基地局に関する。
【背景技術】
【０００２】
ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ：マルチメディア・ブロードキャスト・マルチキャスト・サービス）システムにおいて、３ＧＰＰ（Ｔｈｉｒｄ  Ｇｅｎｅｒａｔｉｏｎ  Ｐａｒｔｎｅｒ  Ｐｒｏｊｅｃｔ：第３世代パートナー・プロジェクト）は、ＭＣＣＨのマルチセルＭＢＳＦＮ（ＭＢＭＳ  Ｓｉｎｇｌｅ  Ｆｒｅｑｕｅｎｃｙ  Ｎｅｔｗｏｒｋ：ＭＢＭＳ単一周波数ネットワーク）伝送に同意している。したがって、ＭＣＣＨ同期を保証する機構が必要である。ＭＣＥ（ＭＢＭＳ  Ｃｏｎｔｒｏｌ  Ｅｎｔｉｔｙ：ＭＢＭＳ制御エンティティ）によって割り当てられたＭＳＡＰ（ＭＢＭＳサブフレーム割当てパターン）などのパラメータは、ユーザ・プレーンのコンテンツを同期するために、それぞれ異なるｅＮＢ（基地局）上で同期されるべきである。
【０００３】
３ＧＰＰ  ＲＡＮ３（Ｒａｄｉｏ  Ａｃｃｅｓｓ  Ｎｅｔｗｏｒｋ，ｔａｓｋ  ｇｒｏｕｐ  ３：無線アクセス・ネットワーク、タスク・グループ３）には既存の提案があり、ｅＮＢへの新しいＡＭＢＲ（Ａｇｇｒｅｇａｔｅ  Ｍａｘｉｍｕｍ  Ｂｉｔ  Ｒａｔｅ：総最大ビットレート）は、すべてのｅＮＢが新しいＡＭＢＲに従ってスケジューリングを同時に行うことができるように同時に有効化する必要がある。これは、たとえば次のスケジューリング間隔を示すタイムスタンプがセッション更新メッセージ内で運ばれる単純な機構によって行うことができる。こうした手順は、ＧＢＲ（Ｇｕａｒａｎｔｅｅｄ  Ｂｉｔ  Ｒａｔｅ：保証ビットレート）ベアラ上で運ばれる単一のサービスへの変更が生じる場合も必要である。
【０００４】
しかし、上記提案には、以下の欠点がある。
１）上記の提案では、セッション更新メッセージだけに言及している。しかし、Ｍ２およびＭ３インターフェース上には、多くの他のメッセージがある。
２）この提案は、後述される本発明における制御情報要素とは異なる、ユーザ・プレーン概念に関するタイムスタンプ、たとえばスケジューリング期間に基づく。
一方、スケジューリング期間は、ＧＷ（ｇａｔｅｗａｙ：ゲートウェイ）がスケジューリング情報を知らないので、ＧＷに適していないことがある。
３）上記提案には、ｅＮＢが有効化時間情報にどのように応答するかに関する説明がない。
４）上記提案では、有効化時間情報をどのように設定するかについて言及していない。
【先行技術文献】
【非特許文献】
【０００５】
【非特許文献１】ｅＮＢ’ｓ  ｂｅｈａｖｉｏｒｓ  ｗｈｅｎ  ｒｅｃｅｉｖｉｎｇ  ｔｈｅ  ａｃｔｉｖａｔｉｏｎ  ｔｉｍｅ  ｉｎｆｏｒｍａｔｉｏｎ
【発明の概要】
【発明が解決しようとする課題】
【０００６】
従来技術の欠点を克服するために、本発明が提供される。したがって、発明の一目的は、遅延が変化する場合に簡単なやり方でシグナリング・メッセージの同期を保証できる、マルチセルＭＣＣＨを介して送信されたシグナリング・メッセージを同期するための方法および基地局を提供することである。
【課題を解決するための手段】
【０００７】
上記の目的を達成するために、本発明は、マルチセルＭＣＣＨ（ＭＢＭＳ制御チャネル）を介して送信されたシグナリング・メッセージを同期するための方法を提供する。この方法は、ゲートウェイによって、有効化時間情報と共に運ばれたシグナリング・メッセージをＭＣＥ（ＭＢＭＳ制御エンティティ）を介して基地局に送信し、またはＭＣＥによって、有効化時間情報と共に運ばれたシグナリング・メッセージを基地局に直接送信するステップと、基地局によって、シグナリング・メッセージ内に含まれた有効化時間情報に基づいてシグナリング・メッセージを同時に発効させる（ｔａｋｅ  ｅｆｆｅｃｔ）ステップとを備える。
【０００８】
好ましくは、シグナリング・メッセージは、セッション開始／停止メッセージと、ＭＣＣＨ構成／再構成メッセージと、無線リソース割当て／再割当てメッセージと、無線ベアラ構成／再構成メッセージと、カウント・メッセージとを含む。
【０００９】
好ましくは、ゲートウェイによってＭＣＥを介して基地局にシグナリング・メッセージを送信するステップは、ゲートウェイによって、Ｍ３インターフェースを介してＭＣＥにシグナリング・メッセージを送信するステップと、ＭＣＥによって、Ｍ２インターフェースを介して基地局にシグナリング・メッセージを送信するステップとを備える。
【００１０】
好ましくは、ＭＣＥは、基地局の外部に位置する。
【００１１】
好ましくは、ＭＣＥは、基地局の内部に位置する。
【００１２】
好ましくは、この方法はさらに、基地局によって、シグナリング・メッセージ内に含まれた有効化時間情報によって示された時間にシグナリング・メッセージを同時に発効させるステップと、基地局によって、シグナリング・メッセージ内に含まれた有効化時間情報によって示された時間の後の次の修正期間に、対応するエア・インターフェース・メッセージを移動局に送信するステップとを備える。
【００１３】
好ましくは、この方法はさらに、基地局によって、シグナリング・メッセージ内に含まれた有効化時間情報によって示された時間にシグナリング・メッセージを同時に発効させるステップと、基地局によって、シグナリング・メッセージ内に含まれた有効化時間情報によって示された時間に、対応するエア・インターフェース・メッセージを移動局に送信するステップとを備える。
【００１４】
好ましくは、この方法はさらに、基地局によって、シグナリング・メッセージ内に含まれた有効化時間情報によって示された時間の後の次の修正期間の開始時にシグナリング・メッセージを同時に発効させるステップと、基地局によって、シグナリング・メッセージ内に含まれた有効化時間情報によって示された時間の後の次の修正期間に、対応するエア・インターフェース・メッセージを移動局に送信するステップとを備える。
【００１５】
さらに、本発明によれば、マルチセルＭＣＣＨ（ＭＢＭＳ制御チャネル）を介して送信されたシグナリング・メッセージを同期する基地局が提供される。基地局は、ゲートウェイによって、ＭＣＥ（ＭＢＭＳ制御エンティティ）を介して送信され、またはＭＣＥによって直接送信される、有効化時間情報と共に運ばれたシグナリング・メッセージを受け取るように構成された受信手段と、シグナリング・メッセージ内に含まれた有効化時間情報に基づいてシグナリング・メッセージを同時に発効させるように構成された同期手段とを備える。
【００１６】
好ましくは、シグナリング・メッセージは、セッション開始／停止メッセージと、ＭＣＣＨ構成／再構成メッセージと、無線リソース割当て／再割当てメッセージと、無線ベアラ構成／再構成メッセージと、カウント・メッセージとを含む。
【００１７】
好ましくは、受信手段は、Ｍ２インターフェースを介してＭＣＥからシグナリング・メッセージを受け取る。
【００１８】
好ましくは、ＭＣＥは、基地局の外部に位置する。
【００１９】
好ましくは、ＭＣＥは、基地局の内部に位置する。
【００２０】
好ましくは、基地局さらに、シグナリング・メッセージ内に含まれた有効化時間情報によって示された時間にシグナリング・メッセージを同時に発効させるように構成された発効手段（ｅｆｆｅｃｔｉｎｇ  ｍｅａｎｓ）と、シグナリング・メッセージ内に含まれた有効化時間情報によって示された時間の後の次の修正期間に、対応するエア・インターフェース・メッセージを移動局に送信するように構成された送信手段とを備える。
【００２１】
好ましくは、基地局はさらに、シグナリング・メッセージ内に含まれた有効化時間情報によって示された時間にシグナリング・メッセージを同時に発効させるように構成された発効手段と、シグナリング・メッセージ内に含まれた有効化時間情報によって示された時間に、対応するエア・インターフェース・メッセージを移動局に送信するように構成された送信手段とを備える。
【００２２】
好ましくは、基地局はさらに、シグナリング・メッセージ内に含まれた有効化時間情報によって示された時間の後の次の修正期間の開始時にシグナリング・メッセージを同時に発効させるように構成された発効手段と、シグナリング・メッセージ内に含まれた有効化時間情報によって示された時間の後の次の修正期間に、対応するエア・インターフェース・メッセージを移動局に送信するように構成された送信手段とを備える。
【図面の簡単な説明】
【００２３】
【図１】有効化時間情報と共に運ばれたシグナリング・メッセージをＭ２／Ｍ３インターフェースを介してＧＷからＭＣＥおよびＭＣＥからｅＮＢに転送することを示す概略図である。
【図２】シグナリング修正期間に基づくシグナリングの実施を示す概略図である。
【図３】本発明によるシグナリング・メッセージを同期するための方法の動作フローを示す図である。
【図４】本発明によるシグナリング・メッセージを同期するためのｅＮＢを示すブロック図である。
【発明を実施するための形態】
【００２４】
本発明の実施形態について、図に関して以下に述べられる。
【００２５】
本発明の基本概念について以下に述べられる。
Ｍ２／Ｍ３インターフェースを介して送信されたメッセージは、有効化時間情報を運ぶ。ｅＮＢは、本発明の機構による有効化時間情報に応答する。
【００２６】
３ＧＰＰ  ＲＡＮ２によって、Ｅ−ＭＢＭＳ（Ｅｖｏｌｖｅｄ  ＭＢＭＳ：進化型ＭＢＭＳ）エア・インターフェース・シグナリングをマルチセルＰ−ＭＣＣＨ（Ｐｒｉｍａｒｙ  ＭＣＣＨ：１次ＭＣＣＨ）およびマルチセルＳ−ＭＣＣＨ（Ｓｅｃｏｎｄａｒｙ  ＭＣＣＨ：２次ＭＣＣＨ）上で運ぶことができると決定する。マルチセル伝送は、それぞれ異なるｅＮＢ間で同期することが必要である。シグナリングのマルチセル伝送の非同期が生じる場合は、それによって、データのＵＥ（Ｕｓｅｒ  Ｅｑｕｉｐｍｅｎｔ：ユーザ装置）受信の深刻な問題が引き起こされることがある。一方、ネットワークがパラメータを更新する必要がある場合は、更新は、ｅＮＢで同時に発効すべきであり、そうでない場合は、データ同期は損なわれてよい。
【００２７】
Ｍ２／Ｍ３インターフェース上で同期する必要があり得る制御情報は、以下を含んでよい。
１）リソース参照情報など、他の制御情報を含むことができ、ＭＣＥがｅＮＢの外部に位置する場合にＭ３よびＭ２のインターフェースを介して転送されるセッション開始／停止メッセージ。
メッセージは、マルチセルＰ−ＭＣＣＨ上で運ばれ得るサービス・リストに影響を及ぼすことがあり、ＭＣＣＨのアクション情報を必要とする。サービスのＭＴＣＨ（ＭＢＭＳサービス・チャネル）の構成が、それに対応してマルチセルＳ−ＭＣＣＨ上に現れる。
２）Ｍ２インターフェースを介して転送されるＭＣＣＨの構成／再構成メッセージ（たとえばＳ−ＭＣＣＨの数に関する）。
それは、ＭＣＥ同期のためのマルチセルＭＣＣＨの生成または解放を含む。
３）Ｍ２を介して転送される、ＭＣＥからのＥ−ＭＢＭＳサービスのための無線リソース割当てメッセージ。
たとえば、ＭＣＥは、ＭＳＡＰの無線リソース割当て／再割当てメッセージを更新する。
４）Ｍ２を介して転送される、ＭＣＥによるＥ−ＭＢＭＳサービスのための無線ベアラ構成／再構成メッセージ。
無線ベアラ構成メッセージは、マルチセルＳ−ＭＣＣＨの中身ならびにデータ同期に影響を及ぼし得る、エア・インターフェース無線ベアラ・パラメータを運ぶ。
５）他のシグナリング
他のシグナリングは、同期される必要があるカウント・シグナリングなど他のＭ２／Ｍ３に関し、その研究は、将来行われ得る。カウント・シグナリングは、ＭＣＥによって構成されてよく、マルチセル同期伝送モードで送信可能である。カウント・シグナリングがそうである場合、カウント・シグナリングの同期が必要である。
【００２８】
Ｅ−ＭＢＭＳシグナリングとデータの主な違いは、シグナリング伝送には（Ｍ２／Ｍ３インターフェースを介した）信頼できる伝送を保証する必要があることである。すなわち、Ｍ２／Ｍ３インターフェースを介したパケット損失はなく、したがって、再同期を行う必要はない。一方、メッセージがＲＲＣ（Ｒａｄｉｏ  Ｒｅｓｏｕｒｃｅ  Ｃｏｎｔｒｏｌ：無線リソース制御）プロトコルによって、事前定義された形式（たとえば、ＩＥ（Ｉｎｆｏｒｍａｔｉｏｎ  Ｅｌｅｍｅｎｔ：情報要素）が同じメッセージ内にあるべきである）で編成されるので、シグナリングのためのセグメント化および連結の問題はない。
したがって、シグナリング・メッセージのための同期問題は、以下を含む。
＊マルチセルＭＣＣＨ伝送のための同一の無線ベアラ構成
＊異なる発効手段をもたらすＭ２／Ｍ３上の遅延変化
＊ｅＮＢ内の同一処理
【００２９】
諸同期問題について、それぞれ以下に述べられる。
【００３０】
マルチセルＭＣＣＨ伝送のための同一の無線ベアラ構成
それは、かなり簡単明瞭な問題である。それは、ＭＴＣＨに類似して、リソース・ブロックまたはＲＢ（ｒａｄｉｏ  ｂｅａｒｅｒ：無線ベアラ）パラメータに基づいて、ＯＭＣ（Ｏｐｅｒａｔｉｏｎ  Ｍａｉｎｔｅｎａｎｃｅ  Ｃｅｎｔｅｒ：運用保守センタ）またはＭＣＥによって実装することができる。ＲＲＣシグナリングは、ＩＥ形式、メッセージの送信シーケンス、およびメッセージをどのようにチャネルにマッピングするかを指定する。
【００３１】
Ｍ２／Ｍ３上の遅延の変化
シグナリング同期の主な問題は、シグナリングがそれぞれ異なるｅＮＢで同時に発効するように、Ｍ２／Ｍ３インターフェース上の遅延の変化に対処することである。図１に示されるように、本発明では、あらゆるシグナリング・メッセージは、シグナリング・メッセージがいつ発効するかｅＮＢに示す有効化時間情報を運ぶ。一例は、ＭＳＡＰを更新することである。時間は、ＧＰＳ（Ｇｌｏｂａｌ  Ｐｏｓｉｔｉｏｎｉｎｇ  Ｓｙｓｔｅｍ：全地球測位システム）時間への参照であってよい。有効化時間は、次式のように求めることができる。
Ｔａｃｔ＝  Ｔｃｕｒｒｅｎｔ＋  Ｍａｘ＿ｄｅｌａｙ
Ｔａｃｔは、有効化時間を示し、Ｔｃｕｒｒｅｎｔは、送信側の現在の時間を示し、Ｍａｘ＿ｄｅｌａｙは、送信側とｅＮＢインターフェースの間の最大遅延を示す。ＭＣＥがｅＮＢ内に位置するときは、送信側はＧＷである。ＭＣＥがｅＮＢの外部に位置するときは、送信側はＭＣＥである。
【００３２】
現在、以下の２つのＭＣＥ配置オプションがある。
＊ｅＮＢ内のＭＣＥ
このオプションでは、第１のタイプの制御情報（すなわちセッション開始／更新／停止メッセージ）だけが使用される。したがって、Ｍ３インターフェース上で同期が必要である。
＊ｅＮＢの外部のＭＣＥ
このオプションでは、上記に言及されたすべての５つのタイプの制御情報が、Ｍ２を介してＭＣＥからｅＮＢに送信または転送される。したがって、Ｍ２同期が必要である。簡略化されたシグナリング構造では、ＧＷは、ＭＣＥ展開のいずれかについての有効化時間情報を挿入してよい。ＭＣＥが、ＧＷによって挿入された有効化時間情報を含むセッション管理メッセージを受け取るとき、ＭＣＥは、それを無視し、または必要ならばそれを更新してよい。
【００３３】
結論として、Ｍ２またはＭ３インターフェースのすべてのシグナリング・メッセージは、有効化時間情報を運ぶ必要がある。セッション開始／更新／停止メッセージでは、ＧＷは、メッセージに有効化時間情報を追加し、ＭＣＥがそれを変更することを可能にする。
【００３４】
有効化時間情報を受け取るときのｅＮＢの振舞い
ＲＲＣメッセージは、ＵＥ  ＤＲＸ（Ｄｉｓｃｏｎｔｉｎｕｏｕｓ  Ｒｅｃｅｐｔｉｏｎ：不連続受信）のために周期的に送信され得る。それぞれ異なるメッセージは、３ＧＰＰ  Ｒｅｌ−６（リリース６）に類似の、それぞれ異なる長さの修正期間（ＭＰ：Ｍｏｄｉｆｉｃａｔｉｏｎ  Ｐｅｒｉｏｄ）を有し得る。したがって、有効化時間の終了に拘らず、エア・インターフェース・シグナリングは、その次のＭＰから送信することができる。本発明には、以下の３つのモードがある。
１．シグナリングは、ｅＮＢ内の「有効化時間情報」によって示された時間に発効するが、エア・インターフェース・メッセージは変化しない。ｅＮＢは、有効化時間情報によって示された時間の後の次の修正期間に、対応するエア・インターフェース・メッセージをＵＥ（すなわち移動局）に送信する。
これは、有効化時間情報によって示された時間から次の修正期間までｅＮＢとＵＥが異なる構成を使用し得るので、ｅＮＢとＵＥの間の不一致を引き起こすことがある。
２．シグナリングは、ｅＮＢ内の有効化時間情報によって示された時間に発効し、
エア・インターフェース・メッセージは、有効化時間情報によって示された時間にＵＥに送信される。
これは、ＵＥ受信のＤＲＸに影響を及ぼし、およびＵＥウェイクアップのための追加の機構が必要になる。
３．シグナリングは、ｅＮＢ内の有効化時間情報によって示された時間の後の次の修正  期間の開始時間に発効し、エア・インターフェース・メッセージは、有効化時間情報によって示された時間の後の次の修正期間にＵＥに送信される。
単純にするために、モード３）の方法が好まれる。
【００３５】
したがって、それは、有効化時間の終了後、次のＭＰの開始からシグナリングが実施され、対応するメッセージがＵＥに送信されることを指定する必要がある。
【００３６】
図３に示されるように、ステップ３０１で、ゲートウェイは、ＭＣＥを介して、有効化時間情報と共に運ばれたシグナリング・メッセージを基地局に送信する。ステップ３０３で、ｅＮＢは、シグナリング・メッセージ内に含まれた有効化時間情報に基づいて、シグナリング・メッセージを同時に発効させる。
【００３７】
図４は、本発明によるシグナリング・メッセージを同期するためのｅＮＢを示すブロック図である。
【００３８】
図４に示されるように、ｅＮＢは、受信手段４０１と、同期手段４０３と、発効手段４０５と、送信手段４０７とを備える。受信手段４０１は、ＭＣＥを介してゲートウェイから、有効化時間情報と共に運ばれたシグナリング・メッセージを受け取るように構成される。同期手段４０３は、シグナリング・メッセージ内に含まれた有効化時間情報に基づいてシグナリング・メッセージを同時に発効させるように構成される。発効手段４０５および送信手段４０７は、「ｅＮＢ’ｓ  ｂｅｈａｖｉｏｒｓ  ｗｈｅｎ  ｒｅｃｅｉｖｉｎｇ  ｔｈｅ  ａｃｔｉｖａｔｉｏｎ  ｔｉｍｅ  ｉｎｆｏｒｍａｔｉｏｎ」（本明細書ではその詳細は省略する）に記載された３つのモードのいずれかを実施するように協力して動作する。
【００３９】
本発明について上記の本発明の好ましい実施形態に関して示されているが、当業者は、本発明の精神および範囲から逸脱せずに、本発明への任意の修正、置換および改良が可能であることが当業者には理解されよう。したがって、本発明は、上記の諸実施形態に制限されないが、添付の特許請求の範囲およびその等価物によって定義されるべきである。
【図１】
2011511589.tif 000003
【図２】
2011511589.tif 000004
【図３】
2011511589.tif 000005
【図４】
2011511589.tif 000006
【国際調査報告】
2011511589.tif 000007
2011511589.tif 000008
2011511589.tif 000009
2011511589.tif 000010